【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定すること、ここにおいて、前記第１の動き情報は、少なくとも１つの視差動きベクトルと、ビュー間参照ピクチャを識別する、関連付けられた参照ビューインデックスとを含む、と、
前記ＰＵを２つ以上のサブＰＵに区分することと、
前記サブＰＵの各々のための第２の動き情報を決定すること、ここにおいて、前記第２の動き情報は、前記サブＰＵの各々に対応する前記ビュー間参照ピクチャの深度ブロックに関連付けられた、少なくとも１つの視差動きベクトルを含む、と、
前記第２の動き情報に基づいて、前記ビュー間参照ピクチャから前記サブＰＵの各々を予測するために、動き補償を実行することと、
後続ＰＵを予測するために使用されることになる、前記ＰＵの前記サブＰＵの各々のための前記第２の動き情報をメモリに記憶することと、
前記ＰＵの前記サブＰＵのうちの少なくとも１つのための前記記憶された第２の動き情報に基づいて後続ＰＵを予測することと、
を備え、前記後続ＰＵは、前記ＰＵの隣接ブロックであり、前記後続ＰＵを予測することは、前記後続ＰＵを予測するための動き情報のマージモード候補リストを生成することを備え、前記マージモード候補リストは、前記マージモード候補リスト中のサブＰＵ  ＢＶＳＰ候補として、前記メモリに記憶された前記ＰＵの前記サブＰＵのうちの少なくとも１つのための前記第２の動き情報を含む
方法。
【請求項２】
前記ＰＵのための前記第１の動き情報を決定することは、前記ＰＵを予測するための動き情報のマージモード候補リストからＢＶＳＰ候補として前記第１の動き情報を選択することを備える、
請求項１に記載の方法。
【請求項３】
前記サブＰＵの各々のための前記第２の動き情報を決定することは、前記サブＰＵの各々に対応する前記ビュー間参照ピクチャの前記深度ブロックのための４つのコーナーピクセルの最大値に等しい水平成分と、ゼロに等しい垂直成分とを有するように、前記サブＰＵの各々のための前記少なくとも１つの視差動きベクトルを導出することを備える、
請求項１に記載の方法。
【請求項４】
前記サブＰＵの各々のための前記第２の動き情報を決定することは、サブＰＵを予測するための動き情報のマージモード候補リストからサブＰＵ  ＢＶＳＰ候補として前記第２の動き情報を選択することを備える、
請求項１に記載の方法。
【請求項５】
前記メモリは、復号ピクチャバッファを備え、前記第２の動き情報を記憶することは、前記ＰＵのための前記第１の動き情報の前記参照ビューインデックスによって識別された前記ビュー間参照ピクチャを含む参照ピクチャリストとともに、前記サブＰＵの各々のための前記視差動きベクトルを前記復号ピクチャバッファに記憶することを備える、
請求項１に記載の方法。
【請求項６】
前記第２の動き情報に基づいて、前記ビュー間参照ピクチャから前記ＰＵの前記サブＰＵの各々のための予測ブロックを生成することと、
前記ビデオブロックと前記サブＰＵの各々のための前記予測ブロックとに基づいて、残差ブロックを生成することと、
ビデオビットストリーム中に前記ＰＵのための少なくとも前記第１の動き情報のインジケータと、前記残差ブロックとを符号化することと
をさらに備える、請求項１に記載の方法。
【請求項７】
受信されたビデオビットストリームからの前記ＰＵのための少なくとも前記第１の動き情報のインジケータと、残差ブロックとを復号することと、
前記第２の動き情報に基づいて、前記ビュー間参照ピクチャから前記ＰＵの前記サブＰＵの各々のための予測ブロックを生成することと、
前記残差ブロックと前記サブＰＵの各々のための前記予測ブロックとに基づいて、前記ビデオブロックの再構築されたバージョンを生成することと
をさらに備える、請求項１に記載の方法。
【請求項８】
ビデオデータを処理する方法であって、
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定すること、ここにおいて、前記第１の動き情報は、少なくとも１つの視差動きベクトルと、ビュー間参照ピクチャを識別する、関連付けられた参照ビューインデックスとを含む、と、
前記ＰＵを２つ以上のサブＰＵに区分することと、
前記サブＰＵの各々のための第２の動き情報を決定すること、ここにおいて、前記第２の動き情報は、前記サブＰＵの各々に対応する前記ビュー間参照ピクチャの深度ブロックに関連付けられた、少なくとも１つの視差動きベクトルを含む、と、
前記第２の動き情報に基づいて、前記ビュー間参照ピクチャから前記サブＰＵの各々を予測するために、動き補償を実行することと、
前記ビデオブロックを復号ピクチャバッファに記憶するのに先立って、前記ビデオブロックの再構築されたバージョンの各ＣＵにデブロッキングフィルタを適用することと
をさらに備え、前記２つ以上のサブＰＵを有する前記ＰＵを含む前記ビデオブロックの前記ＣＵに前記デブロッキングフィルタを適用することは、
前記ＣＵに前記デブロッキングフィルタを適用するのに先立って、前記ＰＵ中の２つの隣接するサブＰＵ間のサブＰＵ境界において人工的ＰＵ境界または人工的変換ユニット（ＴＵ）境界を作成することと、
前記人工的ＰＵ境界または前記人工的ＴＵ境界を含む、前記ＣＵの２つの隣接するＰＵ間のＰＵ境界または前記ＣＵの２つの隣接するＴＵ間のＴＵ境界のうちの少なくとも１つに前記デブロッキングフィルタを適用することと
を備える、請求項１に記載の方法
を備える、方法。
【請求項９】
前記人工的ＰＵ境界または前記人工的ＴＵ境界を作成することは、前記ＰＵを変換ツリー階層に関連付け、前記サブＰＵの各々をＴＵに関連付けるために、前記ＣＵの変換ツリーを変換することを備え、前記サブＰＵ境界は、人工的ＴＵ境界を備える、
請求項８に記載の方法。
【請求項１０】
前記人工的ＰＵ境界または前記人工的ＴＵ境界を作成することは、前記ＰＵを変換ツリー階層に関連付け、前記サブＰＵの各々の少なくとも一部をＴＵに関連付けるために、前記ＣＵの変換ツリーを変換することを備え、、前記サブＰＵ境界は、人工的ＴＵを備える、請求項８に記載の方法。
【請求項１１】
前記人工的ＰＵ境界または前記人工的ＴＵ境界を作成することは、前記ＰＵをＣＵに関連付け、前記サブＰＵの各々をＰＵに関連付けるために、前記ＣＵをコーディングツリーに変換することを備え、前記サブＰＵ境界は、人工的ＰＵ境界を備える、
請求項８に記載の方法。
【請求項１２】
ビデオ処理デバイスであって、
ビデオデータを記憶するように構成されたメモリと、
前記メモリと通信する１つまたは複数のプロセッサと
を備え、前記１つまたは複数のプロセッサは、
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定すること、ここにおいて、前記第１の動き情報は、少なくとも１つの視差動きベクトルと、ビュー間参照ピクチャを識別する、関連付けられた参照ビューインデックスとを含む、と、
前記ＰＵを２つ以上のサブＰＵに区分することと、
前記サブＰＵの各々のための第２の動き情報を決定すること、ここにおいて、前記第２の動き情報は、前記サブＰＵの各々に対応する前記ビュー間参照ピクチャの深度ブロックに関連付けられた、少なくとも１つの視差動きベクトルを含む、と、
前記第２の動き情報に基づいて、前記ビュー間参照ピクチャから前記サブＰＵの各々を予測するために、動き補償を実行することと、
後続ＰＵを予測するために使用されることになる、前記ＰＵの前記サブＰＵの各々のための前記第２の動き情報を前記メモリに記憶することと、
前記ＰＵの前記サブＰＵのうちの少なくとも１つのための前記記憶された第２の動き情報に基づいて後続ＰＵを予測することと
を行うように構成され、前記後続ＰＵは、前記ＰＵの隣接ブロックであり、前記１つまたは複数のプロセッサは、前記後続ＰＵを予測するための動き情報のマージモード候補リストを生成することを行うように構成され、前記マージモード候補リストは、前記マージモード候補リスト中のサブＰＵ  ＢＶＳＰ候補として、前記メモリに記憶された前記ＰＵの前記サブＰＵのうちの少なくとも１つのための前記第２の動き情報を含む
ビデオ処理デバイス。
【請求項１３】
前記１つまたは複数のプロセッサは、前記ＰＵを予測するための動き情報のマージモード候補リストからＢＶＳＰ候補として前記第１の動き情報を選択することを行うように構成される、
請求項１２に記載のデバイス。
【請求項１４】
前記１つまたは複数のプロセッサは、前記サブＰＵの各々に対応する前記ビュー間参照ピクチャの前記深度ブロックのための４つのコーナーピクセルの最大値に等しい水平成分と、ゼロに等しい垂直成分とを有するように、前記サブＰＵの各々のための前記第２の動き情報に含まれた前記少なくとも１つの視差動きベクトルを導出することを行うように構成される、
請求項１２に記載のデバイス。
【請求項１５】
前記１つまたは複数のプロセッサは、サブＰＵを予測するための動き情報のマージモード候補リストからサブＰＵ  ＢＶＳＰ候補として前記サブＰＵの各々のための前記第２の動き情報を選択することを行うように構成される、
請求項１２に記載のデバイス。
【請求項１６】
前記メモリは、復号ピクチャバッファを備え、前記１つまたは複数のプロセッサは、前記ＰＵのための前記第１の動き情報の前記参照ビューインデックスによって識別された前記ビュー間参照ピクチャを含む参照ピクチャリストとともに、前記サブＰＵの各々のための前記第２の動き情報に含まれた前記視差動きベクトルを前記復号ピクチャバッファに記憶することを行うように構成される、
請求項１２に記載のデバイス。
【請求項１７】
前記ビデオ処理デバイスは、ビデオ符号化デバイスを備え、前記１つまたは複数のプロセッサは、
前記第２の動き情報に基づいて、前記ビュー間参照ピクチャから前記ＰＵの前記サブＰＵの各々のための予測ブロックを生成することと、
前記ビデオブロックと前記サブＰＵの各々のための前記予測ブロックとに基づいて、残差ブロックを生成することと、
ビデオビットストリーム中に前記ＰＵのための少なくとも前記第１の動き情報のインジケータと、前記残差ブロックとを符号化することと
を行うように構成される、請求項１２に記載のデバイス。
【請求項１８】
前記ビデオ処理デバイスは、ビデオ復号デバイスを備え、前記１つまたは複数のプロセッサは、
受信されたビデオビットストリームからの前記ＰＵのための少なくとも前記第１の動き情報のインジケータと、残差ブロックとを復号することと、
前記第２の動き情報に基づいて、前記ビュー間参照ピクチャから前記ＰＵの前記サブＰＵの各々のための予測ブロックを生成することと、
前記残差ブロックと前記サブＰＵの各々のための前記予測ブロックとに基づいて、前記ビデオブロックの再構築されたバージョンを生成することと
を行うように構成される、請求項１２に記載のデバイス。
【請求項１９】
ビデオ処理デバイスであって、
ビデオデータを記憶するように構成されたメモリと、
前記メモリと通信する１つまたは複数のプロセッサと
を備え、前記１つまたは複数のプロセッサは、
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定すること、ここにおいて、前記第１の動き情報は、少なくとも１つの視差動きベクトルと、ビュー間参照ピクチャを識別する、関連付けられた参照ビューインデックスとを含む、と、
前記ＰＵを２つ以上のサブＰＵに区分することと、
前記サブＰＵの各々のための第２の動き情報を決定すること、ここにおいて、前記第２の動き情報は、前記サブＰＵの各々に対応する前記ビュー間参照ピクチャの深度ブロックに関連付けられた、少なくとも１つの視差動きベクトルを含む、と、
前記第２の動き情報に基づいて、前記ビュー間参照ピクチャから前記サブＰＵの各々を予測するために、動き補償を実行することと、
前記ビデオブロックを復号ピクチャバッファに記憶するのに先立って、前記ビデオブロックの再構築されたバージョンの各ＣＵにデブロッキングフィルタを適用することと
を行うように構成され、前記２つ以上のサブＰＵを有する前記ＰＵを含む前記ビデオブロックの前記ＣＵに前記デブロッキングフィルタを適用するために、前記１つまたは複数のプロセッサは、
前記ＣＵに前記デブロッキングフィルタを適用するのに先立って、前記ＰＵ中の２つの隣接するサブＰＵ間のサブＰＵ境界において人工的ＰＵ境界または人工的変換ユニット（ＴＵ）境界を作成することと、
前記人工的ＰＵ境界または前記人工的ＴＵ境界を含む、前記ＣＵの２つの隣接するＰＵ間のＰＵ境界または前記ＣＵの２つの隣接するＴＵ間のＴＵ境界のうちの少なくとも１つに前記デブロッキングフィルタを適用することと
を行うように構成される、デバイス。
【請求項２０】
前記１つまたは複数のプロセッサは、前記ＰＵを変換ツリー階層に関連付け、前記サブＰＵの各々をＴＵに関連付けるために、前記ＣＵの変換ツリーを変換することを行うように構成され、前記サブＰＵ境界は、人工的ＴＵ境界を備える、
請求項１９に記載のデバイス。
【請求項２１】
前記１つまたは複数のプロセッサは、前記ＰＵを変換ツリー階層に関連付け、前記サブＰＵの各々の少なくとも一部をＴＵに関連付けるために、前記ＣＵの変換ツリーを変換することを行うように構成され、前記サブＰＵ境界は、人工的ＴＵを備える、
請求項１９に記載のデバイス。
【請求項２２】
前記１つまたは複数のプロセッサは、前記ＰＵをＣＵに関連付け、前記サブＰＵの各々をＰＵに関連付けるために、前記ＣＵをコーディングツリーに変換することを行うように構成され、前記サブＰＵ境界は、人工的ＰＵ境界を備える、
請求項１９に記載のデバイス。
【請求項２３】
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定するための手段、ここにおいて、前記第１の動き情報は、少なくとも１つの視差動きベクトルと、ビュー間参照ピクチャを識別する、関連付けられた参照ビューインデックスとを含む、と、
前記ＰＵを２つ以上のサブＰＵに区分するための手段と、
前記サブＰＵの各々のための第２の動き情報を決定するための手段、ここにおいて、前記第２の動き情報が、前記サブＰＵの各々に対応する前記ビュー間参照ピクチャの深度ブロックに関連付けられた、少なくとも１つの視差動きベクトルを含む、と、
前記第２の動き情報に基づいて、前記ビュー間参照ピクチャから前記サブＰＵの各々を予測するために、動き補償を実行するための手段と、
後続ＰＵを予測するために使用されることになる、前記ＰＵの前記サブＰＵの各々のための前記第２の動き情報をメモリに記憶するための手段と、
前記ＰＵの前記サブＰＵのうちの少なくとも１つのための前記記憶された第２の動き情報に基づいて後続ＰＵを予測するための手段と、
を備え、前記後続ＰＵは、前記ＰＵの隣接ブロックであり、前記後続ＰＵを予測するための手段は、前記後続ＰＵを予測するための動き情報のマージモード候補リストを生成するための手段をさらに備え、前記マージモード候補リストは、前記マージモード候補リスト中のサブＰＵ  ＢＶＳＰ候補として、前記メモリに記憶された前記ＰＵの前記サブＰＵのうちの少なくとも１つのための前記第２の動き情報を含む
ビデオ処理デバイス。
【請求項２４】
ビデオデータを処理するための命令を記憶した非一時的コンピュータ可読記憶媒体であって、前記命令は、実行されると、１つまたは複数のプロセッサに、
後方ビュー合成予測（ＢＶＳＰ）モードに従って、ビデオブロックのコーディングユニット（ＣＵ）の予測ユニット（ＰＵ）のための第１の動き情報を、前記ＰＵの隣接ブロックから決定すること、ここにおいて、前記第１の動き情報は、少なくとも１つの視差動きベクトルと、ビュー間参照ピクチャを識別する、関連付けられた参照ビューインデックスとを含む、
前記ＰＵを２つ以上のサブＰＵに区分することと、
前記サブＰＵの各々のための第２の動き情報を決定すること、ここにおいて、前記第２の動き情報は、前記サブＰＵの各々に対応する前記ビュー間参照ピクチャの深度ブロックに関連付けられた、少なくとも１つの視差動きベクトルを含む、と
前記第２の動き情報に基づいて、前記ビュー間参照ピクチャから前記サブＰＵの各々を予測するために、動き補償を実行することと、
後続ＰＵを予測するために使用されることになる、前記ＰＵの前記サブＰＵの各々のための前記第２の動き情報をメモリに記憶することと、
前記ＰＵの前記サブＰＵのうちの少なくとも１つのための前記記憶された第２の動き情報に基づいて後続ＰＵを予測することと、
を行わせ、前記後続ＰＵは、前記ＰＵの隣接ブロックであり、前記命令は、前記１つまたは複数のプロセッサに、前記後続ＰＵを予測するための動き情報のマージモード候補リストを生成することを行わせ、前記マージモード候補リストは、前記マージモード候補リスト中のサブＰＵ  ＢＶＳＰ候補として、前記メモリに記憶された前記ＰＵの前記サブＰＵのうちの少なくとも１つのための前記第２の動き情報を含む
非一時的コンピュータ可読記憶媒体。